【事件の表示】
　特願２０１３−２７２９５５「コネクタ」拒絶査定不服審判事件〔平成２７年　７月　９日出願公開、特開２０１５−１２８００５、請求項の数（８）〕について、次のとおり審決する。
【結　論】
　原査定を取り消す。
　本願の発明は、特許すべきものとする。
【理　由】
第１　手続の経緯
　本願は、平成２５年１２月２７日の出願であって、平成２８年９月１４日付けで拒絶の理由が通知され、同年１１月１７日に意見書及び手続補正書が提出されたが、平成２９年２月２日付けで拒絶査定（以下、「原査定」という。発送日：同年２月７日）され、これに対し、平成２９年４月２５日に拒絶査定不服審判が請求されると同時に手続補正がされたものである。
　
第２　原査定の概要
　原査定の概要は次のとおりである。
　本願の請求項１に係る発明は、その出願前に日本国内又は外国において、頒布された以下の刊行物１ないし３に記載された発明又は電気通信回線を通じて公衆に利用可能となった発明に基いて、その出願前にその発明の属する技術の分野における通常の知識を有する者（以下、「当業者」という。）が容易に発明をすることができたものであるから、特許法第２９条第２項の規定により特許を受けることができない。
　本願の請求項４、５、７及び８に係る発明は、その出願前に日本国内又は外国において、頒布された以下の刊行物１ないし４に記載された発明又は電気通信回線を通じて公衆に利用可能となった発明に基いて、その出願前に当業者が容易に発明をすることができたものであるから、特許法第２９条第２項の規定により特許を受けることができない。
　１　特開２０１２−１０４４４８号公報
　２　特開平１１−２３３２０３号公報
　３　実願昭５６−４８８７９号(実開昭５７−１６１８７４号)のマイクロフィルム
　４　特開２０１２−６４５０５号公報
　
第３　本願発明
　本願の請求項１ないし８に係る発明（以下、それぞれ「本願発明１」ないし「本願発明８」という。）は、平成２９年４月２５日付けの手続補正で補正された特許請求の範囲の請求項１ないし８に記載された事項により特定される次のとおりのものである。
「【請求項１】
　他のコネクタと接続されるコネクタにおいて、
　他のコネクタに設けられた他の接続端子と接続する接続端子と、
　固定接点と、
　可動板部に設けられた可動接点と、
　前記他のコネクタの挿入方向と交差する方向にスライドするスライド部と、
　スライドする前記スライド部によって押下されるボタンと、
　前記ボタンの押下により動作し、前記可動板部を動作させるカードと、
　を有し、
　前記他のコネクタと前記コネクタとが接続される際、前記他のコネクタにより前記スライド部が押されてスライドして前記ボタンが押下され、前記押下されたボタンにより前記可動板部が動作して前記固定接点と前記可動接点とが接触することを特徴とするコネクタ。
　【請求項２】
　他のコネクタと接続されるコネクタにおいて、
　他のコネクタに設けられた他の接続端子と接続する接続端子と、
　固定接点と、
　可動板部に設けられた可動接点と、
　前記他のコネクタの挿入方向と交差する方向にスライドするスライド部と、
　スライドする前記スライド部によって押下されるボタンと、
　前記ボタンの押下により動作し、前記可動板部を動作させるカードと、
　を有し、
　前記他のコネクタと前記コネクタとが接続される際、前記他のコネクタにより前記スライド部が押されてスライドして前記ボタンが押下され、前記押下されたボタンにより前記可動板部が動作して前記固定接点と前記可動接点とが接触するものであって、
　前記スライド部を付勢するバネを更に有し、
　前記他のコネクタが前記コネクタから取り外された際、前記スライド部は前記バネの付勢力によって元の位置に復帰することを特徴とするコネクタ。
　【請求項３】
　他のコネクタと接続されるコネクタにおいて、
　他のコネクタに設けられた他の接続端子と接続する接続端子と、
　固定接点と、
　可動板部に設けられた可動接点と、
　前記他のコネクタの挿入方向と交差する方向にスライドするスライド部と、
　スライドする前記スライド部によって押下されるボタンと、
　前記ボタンの押下により動作し、前記可動板部を動作させるカードと、
　を有し、
　前記他のコネクタと前記コネクタとが接続される際、前記他のコネクタにより前記スライド部が押されてスライドして前記ボタンが押下され、前記押下されたボタンにより前記可動板部が動作して前記固定接点と前記可動接点とが接触するものであって、
　前記ボタンを上方に付勢する第２のバネを更に有し、
　前記スライド部と前記ボタンとの接触状態が解除された際、前記ボタンが前記第２のバネの付勢力によって上方に付勢され、前記カードが移動して前記可動接点が前記固定接点から離れることを特徴とするコネクタ。
　【請求項４】
　前記スライド部は、前記他のコネクタと接触する傾斜部を有し、
　前記他のコネクタが前記コネクタに接続される際、前記他のコネクタにより前記傾斜部が押され前記スライド部がスライドすることを特徴とする請求項１から３のいずれかに記載のコネクタ。
　【請求項５】
　前記スライド部は、突起部を有し、
　前記ボタンは、前記突起部と接触する第２の傾斜部を有し、
　前記第２の傾斜部が前記突起部により押されることにより、前記ボタンが押下されることを特徴とする請求項１から４のいずれかに記載のコネクタ。
　【請求項６】
　他のコネクタと接続されるコネクタにおいて、
　他のコネクタに設けられた他の接続端子と接続する接続端子と、
　固定接点と、
　可動板部に設けられた可動接点と、
　前記他のコネクタの挿入方向と交差する方向にスライドするスライド部と、
　スライドする前記スライド部によって押下されるボタンと、
　前記ボタンの押下により動作し、前記可動板部を動作させるカードと、
　を有し、
　前記他のコネクタと前記コネクタとが接続される際、前記他のコネクタにより前記スライド部が押されてスライドして前記ボタンが押下され、前記押下されたボタンにより前記可動板部が動作して前記固定接点と前記可動接点とが接触するものであって、
　前記スライド部は、突起部を有し、
　前記ボタンは、前記突起部と接触する第２の傾斜部を有し、
　前記第２の傾斜部が前記突起部により押されることにより、前記ボタンが押下されるものであって、
　前記スライド部は、前記突起部から前記他のコネクタにより押された際のスライド方向に延びる張出部を更に有し、
　前記ボタンは、前記張出部に対応する位置に設けられ、前記第２の傾斜部よりも傾斜の急な第３の傾斜部を更に有することを特徴とするコネクタ。
　【請求項７】
　前記コネクタは、ジャックコネクタであって、
　前記接続端子は、ジャック端子であって、
　前記他のコネクタは、プラグコネクタであって、
　前記他の接続端子は、プラグ端子であることを特徴とする請求項１から６のいずれかに記載のコネクタ。
　【請求項８】
　請求項１から７のいずれかに記載のコネクタと、
　前記他のコネクタと、
　を有することを特徴とするコネクタ。」
　
第４　引用文献、引用発明等
１　引用文献１
　原査定の拒絶の理由に引用された引用文献１（特開２０１２−１０４４４８号公報）には、「コネクタ及びスイッチ」に関し、図面（特に、図９、図１２〜１５、図２５、２６等参照）とともに次の事項が記載されている。
　
ア　「【請求項１】
　他のコネクタにおける他の接続端子と接続される接続端子と、
　固定接点と、
　可動板部の一方の端部に設けられた可動接点と、
　絶縁体により形成されており、前記可動板部と接触するカードと、
　前記カードと接触するボタンと、
　前記ボタンに接続された開離バネと、
　前記固定接点と前記可動接点との接触を制御するためのスライド操作部と、
　を有し、
　前記固定接点または前記可動接点のうち、いずれか一方は前記接続端子と接続されているものであって、
　前記スライド操作部を一方の方向に移動させることにより、前記ボタンが押下され、前記カードを介して前記可動板部が動き、前記固定接点と前記可動接点とが接触することによりオン状態となり、
　前記開離バネは、前記オン状態より前記固定接点と前記可動接点との接触を離す方向に復元力が働くものであって、
　前記スライド操作部を前記一方の方向とは反対方向である他方の方向に移動させることによって、前記開離バネの復元力により前記固定接点と前記可動接点との接触が離れ、オフ状態となることを特徴とするコネクタ。」（【特許請求の範囲】の【請求項１】）
　
イ　「【００３８】
　次に、図６から図８に基づき本実施の形態におけるコネクタについて説明する。尚、図６は、本実施の形態におけるコネクタの斜視図であり、図７は正面図であり、図８は側面図である。本実施の形態におけるコネクタは、全体が筐体５０に覆われており、プラグコネクタ２００におけるプラグ端子２２１、２２２、２２３が挿入されるジャック開口部２１、２２、２３と、プラグコネクタ２００における保護部２１１が挿入される溝部３１と、プラグコネクタ２００と本実施の形態におけるコネクタとが接続されている状態で、電力を供給するか否かの制御を行なうためのスライド操作部４０が設けられている。スライド操作部４０は、「ＯＮ」の位置または「ＯＦＦ」の位置となるように、スライドさせることが可能であり、スライド操作部４０をスライドさせることにより、コネクタを介し、電力を供給するか否かの制御を行なうことができる。
【００３９】
　より詳細に図９に基づき本実施の形態におけるコネクタの内部構造について説明する。図９は、本実施の形態におけるコネクタの内部構造を示す断面図である。本実施の形態におけるコネクタは、スライド操作部４０におけるスライド操作上部４０ａが筐体５０に設けられた開口より外側に飛び出た形状となっており、筐体５０の外側よりスライド操作上部４０ａを矢印Ａで示されるスライド方向に移動させることにより、筐体５０の内部におけるスイッチ部１００において、電気的な接続を行なうか否かの操作を行なうことができる。
【００４０】
　スライド操作部４０は筐体５０にスライド操作本体部４０ｂを有しており、スライド操作本体部４０ｂは、スライドリンク部４１と接続されている。スライドリンク部４１は、矢印Ａで示されるスライド方向と略平行に動作するものであって、Ｌ字状の形成されており、Ｌ字状の一方の端は、コンタクトスライド部４２のコンタクトスライド開口部４２ａ内に入り込んだ構造となっている。このコンタクトスライド開口部４２ａは、スライドリンク部４１の移動方向、即ち、矢印Ａで示されるスライド方向に沿った細長い形状で形成されている。また、後述するように、コンタクトスライド部４２には、矢印Ａで示されるスライド方向に対し略垂直方向に伸びるコンタクトスライド接触部が設けられており、コンタクトスライド接触部の先端は、スイッチ部１００におけるボタン１６０の上面に接触している。
【００４１】
　（スイッチ部）
　次に、スイッチ部１００について説明する。本実施の形態におけるコネクタのスイッチ部１００は、電力の供給の制御を行なうためのスイッチであって、電源スイッチとも称される。図１０にスイッチ部１００の斜視図を示し、図１１にスイッチ部１００の内部構造図を示す。図１１に示されるように、スイッチ部１００は、固定部１１０における固定接点１１１と可動部１２０における可動接点１２１とが接触するか否かにより、電源の供給のオン、オフの制御を行なうことができるものである。」（【００３８】ないし【００４１】）
　
ウ　「【００４６】
　スイッチ部ケース１５０の外部には、回転軸１４３を中心にカード１４０を回転させるために、押下されるボタン１６０が設けられており、カード１４０は、カード１４０における突起部１４４の上部に設けられた接触部１４４ａにおいて、ボタン１６０の内壁部１６１と接触している。尚、接触部１４４ａは、内壁部１６１の表面を摺動するものであるため、摩擦抵抗を低減させるために内壁部１６１の表面には、フッ素樹脂等により形成された表面層を設けてもよい。また、スイッチ部ケース１５０の外部には、一方の端部がスイッチ部ケース１５０に接続され、他方の端部がボタン１６０に接続された開離バネ１７０が設けられている。
【００４７】
　（スイッチ部におけるオン、オフ動作）
　スイッチ部１００において、スイッチをオンにする場合には、後述するように、コンタクトスライド部４２におけるコンタクトスライド接触部を移動させることにより、ボタン１６０を押下し、ボタン１６０の内壁部１６１において接触部１４１が接触しているカード１４０が回転軸１４３を中心に回転する。これにより、上部接触部１４１を介し可動部１２０における可動板部１２２に下方向に力が加えられ、可動接点１２１と固定接点１１１とが接触する。この状態を図１２に示す。尚、後述するように、スイッチ部１００において、この状態はコンタクトスライド部４２におけるコンタクトスライド接触部により維持されるため、可動接点１２１と固定接点１１１との接触が維持され、電源から電力が供給される。」（【００４６】及び【００４７】）
　
エ　「【００５３】
　（コネクタにおけるオン、オフ動作）
　次に、本実施の形態におけるコネクタにおけるオン、オフ動作について説明する。本実施の形態におけるコネクタとプラグコネクタ２００とが接続されている状態において、本実施の形態におけるコネクタにおけるオン、オフの制御を行なうことにより、スイッチ部１００のオン、オフを行なうことができ、電源等からの電力の供給の制御を行なうことができる。
【００５４】
　最初に、図１３に示されるように本実施の形態におけるコネクタとプラグコネクタ２００とが接続されていない状態から、図１４に示されるように、本実施の形態におけるコネクタとプラグコネクタ２００とを接続する。この状態では、本実施の形態におけるコネクタのスライド操作部４０のスライド操作上部４０ａが「ＯＦＦ」の位置のままでありオフ状態にあるため、電気的には接続はされておらず、コネクタを介し電力等が供給されることはない。次に、図１５に示されるように、本実施の形態におけるコネクタのスライド操作部４０のスライド操作上部４０ａを「ＯＮ」の位置までスライドさせてＯＮ状態にする。これにより本実施の形態におけるコネクタとプラグコネクタ２００とが電気的に接続されコネクタを介し電力等が供給される。以下、本実施の形態におけるコネクタにおいて、図１４に示すオフ状態から図１５に示すオン状態になるまでの状況をより詳しく説明する。
【００５５】
　次に、図１４に示されるオフ状態について、図１６から図２０に基づき説明する。図１６は、オフ状態における本実施の形態におけるコネクタの側面側から見た内部構造図であり、図１７は、正面側から見た内部構造図であり、図１８は、内部構造の要部の斜視図であり、図１９は、機構部分の要部の斜視図であり、図２０は、内部構造の要部の側面図である。オフ状態においては、スライド操作上部４０ａが「ＯＦＦ」の位置にあるため、コンタクトスライド部４２におけるコンタクトスライド開口部４２ａの左側に、Ｌ字状に形成されたスライドリンク部４１の一方が接触している状態となっている。また、トーションバネ４３の一方は筐体５０の一部に接続されており、他方はスライド操作部４０に接続されている。また、図２１に示されるように、コンタクトスライド部４２には、矢印Ａに示されるスライド方向に対し略垂直方向に伸びるコンタクトスライド接触部４２ｂ設けられており、スイッチ部１６０の上面に設けられた溝の下段部１６３において、コンタクトスライド接触部４２ｂの先端が接触している。
【００５６】
　尚、本実施の形態におけるコネクタのジャック開口部２１、２２、２３の内部には、プラグ端子２２１、２２２、２２３と電気的に接続されるジャック端子６１、６２、６３が設けられており、前述したスイッチ部１００には、固定部１１０及び可動部１２０はジャック端子６２及び６３に対応して２対設けられている。即ち、ジャック端子６２は、一方の１対の固定部１１０または可動部１２０のいずれか一方に接続されており、他方は不図示の電源供給源に接続されている。また、ジャック端子６３は、他方の１対の固定部１１０または可動部１２０のいずれか一方に接続されており、他方は不図示の電源供給源に接続されている。更に、図２２に示されるフック７０は、スライド操作部４０の側面の幅狭部４０ｃと接しており、この状態においては、フック７０はプラグコネクタ２００におけるコネクタ接続開口部２１２に入ってはいないため、本実施の形態におけるコネクタとプラグコネクタ２００との脱着は可能な状態にある。」（【００５３】ないし【００５６】）
　
オ　「【００５８】
　次に、図１５に示されるオン状態について、図２６から図３０に基づき説明する。図２６は、この状態における本実施の形態におけるコネクタの側面側から見た内部構造図であり、図２７は、正面側から見た内部構造図であり、図２８は、内部構造の要部の斜視図であり、図２９は、機構部分の要部の斜視図であり、図３０は、内部構造の要部の側面図である。オン状態においては、スライド操作上部４０ａは、「ＯＮ」の位置にあり、コンタクトスライド部４２におけるコンタクトスライド開口部４２ａの右側をＬ字状に形成されたスライドリンク部４１の一方が更に押されることにより、コンタクトスライド部４２を更に移動させることができる。これによりコンタクトスライド部４２におけるコンタクトスライド接触部４２ｂの先端は、スイッチ部１６０に設けられた上段部１６５において接触する。この状態においては、スイッチ部１００におけるボタン１６０がコンタクトスライド接触部４２ｂにより押されるため、２対の固定部１１０における固定接点１１１と可動部１２０における可動接点１２１とが各々接触する。このオン状態は、スイッチ部１６０に設けられた上段部１６５にコンタクトスライド部４２におけるコンタクトスライド接触部４２ｂの先端が接触していることにより維持される。
【００５９】
　また、オフ状態からオン状態に変化する際には、図２２に示されるフック７０におけるスライド操作部４０の側面との接触位置は、スライド操作部４０の側面の幅狭部４０ｃから、傾斜部４０ｄを経て、幅広部４０ｅに移動するため、矢印Ａ１で示されるスライド操作上部４０ａのスライド方向にスライドさせることにより、スライド方向に対し略垂直方向である矢印Ｂ１に示される方向に移動する。移動したフック７０は、プラグコネクタ２００に設けられたコネクタ接続開口部２１２内に入り込み嵌合するため、本実施の形態におけるコネクタとプラグコネクタとの接続が維持される。
【００６０】
　尚、オン状態からオフ状態に移行する場合には、本実施の形態におけるコネクタのスライド操作上部４０ａの位置を「ＯＮ」の位置から「ＯＦＦ」の位置にスライドさせることにより行なう。このようにスライド操作上部４０ａの位置をスライドさせることにより、コンタクトスライド部４２におけるコンタクトスライド接触部４２ｂの先端が接触している位置が、スイッチ部１６０に設けられた上段部１６５から傾斜部１６４を経て下段部１６３に移動する。これにより、スイッチ部１６０が開離バネ１７０により持ち上げられ、２対の固定部１１０における固定接点１１１と可動部１２０における可動接点１２１との接触が離れオフ状態となる。この際、図２２に示されるフック７０におけるスライド操作部４０の側面との接触位置は、スライド操作部４０の側面の幅広部４０ｅから、傾斜部４０ｄを経て、幅狭部４０ｃに移動する。これにより、プラグコネクタ２００におけるコネクタ接続開口部２１２内よりフック７０が外に出るため、本実施の形態におけるコネクタよりプラグコネクタ２００をはずすことが可能となる。」（【００５８】ないし【００６０】）
　
カ　上記イの段落【００３９】の「スライド操作部４０におけるスライド操作上部４０ａが筐体５０に設けられた開口より外側に飛び出た形状となっており、筐体５０の外側よりスライド操作上部４０ａを矢印Ａで示されるスライド方向に移動させる」並びに図７及び図９の記載から、引用文献１に記載されたコネクタにおいて、「スライド操作部４０」の移動方向が、プラグコネクタ２００の挿入方向と交差する方向であり、また、上記イの段落【００３８】の「スライド操作部４０は、「ＯＮ」の位置または「ＯＦＦ」の位置となるように、スライドさせることが可能であり」及び図１４、１５等の記載からみて、スライド操作部４０が手動で操作するものであることは明らかである。
　
　上記記載事項及び図示内容を総合し、本願の請求項１の記載ぶりに則って整理すると、引用文献１には、次の発明（以下、「引用発明」という。）が記載されているといえる。
「プラグコネクタ２００における接続端子２２１，２２２，２２３と接続される接続端子と、
　固定接点１１１と、
　可動板部１２２の一方の端部に設けられた可動接点１２１と、
　前記可動板部１２２と接触するカード１４０と、
　前記カード１４０と接触するボタン１６０と、
　前記固定接点１１１と前記可動接点１２１との接触を制御するためのスライド操作部４０と、
　を有し、
　前記スライド操作部４０には、スライドリンク部４１とコンタクトスライド部４２が接続され、コンタクトスライド部４２にはボタン１６０の上面と接触するコンタクトスライド接触部４２ｂが設けられており、
　手動で前記スライド操作部４０を一方の方向に移動させることにより、スライドリンク部４１とコンタクトスライド部４２とがプラグコネクタ２００の挿入方向と交差する方向にスライド移動し、コンタクトスライド部４２に設けられたコンタクトスライド接触部４２ｂにより、前記ボタン１６０が押下され、前記カード１４０を介して前記可動板部１２２が動き、前記固定接点１１１と前記可動接点１２１とが接触する、コネクタ。」
　
２　引用文献２
　本願の出願前に頒布され、原審査定で引用された引用文献２（特開平１１−２３３２０３号公報）には、「コンセント装置」に関し、図面（特に、図４〜７参照）とともに次の事項が記載されている。
　
キ　「【００２０】（１９）（１９）、（１９）（１９）は前記端子室（１４）、（１４）のそれぞれに絶縁して固定した異極の固定端子で、それぞれの端子に端子板（２０）（２０）、（２０）（２０）を取り付け、この端子板に前記電源コード（８）を接続している。
【００２１】（２１）、（２１）は前記隔室（１２）、（１２）内に移動自在に配設した接点板で、先端と後端を前記貫通孔（１６）（１６）、（１７）（１７）に挿通し両側に突出した取付片（２２）（２２）、（２２）（２２）を有する絶縁体により摺動杆（２３）、（２３）を構成しており、先端には貫通孔（１６）、（１６）より僅かに外側に突出するガイド部（２４）とストッパー（２５）（２５）を有し、後端には貫通孔（１７）（１７）を貫通して端子室（１４）、（１４）内を出没するガイド部（２６）を設けている。（２７）、（２７）は前記取付壁（１３）、（１３）と摺動杆（２３）、（２３）の間に介挿し、前記ガイド部（２４）が側壁（５）より突出するように附勢したスプリングである。
【００２２】（２８）（２８）、（２８）（２８）は前記取付片（２２）（２２）、（２２）（２２）に固定した可動接点板で、後側には可動端子（２９）（２９）、（２９）（２９）を設けると共に前側には弾性により常に接近する如く附勢された２つの接触片（３０）（３０）、（３０）（３０）、（３０）（３０）、（３０）（３０）を有する刃受け（３１）、（３１）を有している。」（【００２０】ないし【００２２】）
　
ク　「【００２５】次に動作について説明する。プラグ（３４）の差し込み刃（３５）（３５）を差し込んでいない状態は図１の右側、図４、図５に示すとおりであり、この状態ではスプリング（２７）により摺動杆（２３）のガイド部（２４）が側壁（５）より突出すると共に、可動端子（２９）（２９）と固定端子（１９）（１９）が離間し可動端子（２９）、（２９）のそれぞれは非充電部となる。摺動杆（２３）はストッパー（２５）により必要以上に突出しない。
【００２６】プラグ（３４）をコンセント（６）に差し込む場合は、差し込み刃（３５）（３５）を刃受け（３１）（３１）に向けて押し込むと、摺動杆（２３）がスプリング（２７）に抗して押し下げられ可動端子（２９）（２９）が固定端子（１９）（１９）に接触すると共に摺動杆（２３）の後端のガイド部（２６）が絶縁ケース（１０）の壁面に当たり、差し込み刃（３５）（３５）と刃受け（３１）（３１）が十分な状態で接触することになる。」（【００２５】及び【００２６】）
　
　上記記載から、引用文献２には、「プラグ３４をコンセント６に差し込んだときに、プラグ３４の差し込み刃３５により押し下げられた摺動杆２３が可動端子２９を固定端子１９に接触させることで導通状態にするコンセント装置に係る技術」（以下、「引用文献２記載技術」という。）が記載されていると認める。
　
３　引用文献３
　本願の出願前に頒布され、原審査定で引用された引用文献３（実願昭５６−４８８７９号(実開昭５７−１６１８７４号)のマイクロフィルム）には、「スイッチ付安全コンセント」に関し、図面（特に、図１、２参照）とともに次の事項が記載されている。
　
ケ　「次に本装置の内部構造を第二図に示すと、符号１はコンセント表面板であって、このものには一対の刃受穴２、２を穿設する。　刃受穴２、２の内側には夫々金属製の刃受３、３を装着し、更にこのものと一定の距離はなれた位置に各刃受３、３に対応して金属製のコード端子４、４を装着する。　因みに刃受３とコード端子４とは従来は一体的に形成され、いわゆる充電金属部と称され、常に通電状態とされるものであったが、本考案においてはコード端子４、４に外部電線５、５を接続してここまでは常時通電状態とするものである。　符号６はコンセント表面板１の内側に設けた押圧片であって、プラグＰの差込方向に没入自在で、常時はコンセント前面１’側へ偏寄させるものである。　図示の実施例は一対の刃受３、３の間に柱状の押圧片６をプラグＰの差込方向に移動自在に装着すると共に縮設した弾性体７（一例としてコイルスプリング）をこのものの後背面に当接させてコンセント前面１’側に偏寄させたものである。
　ここにおいて押圧片６にはその没入時に刃受を通電状態とする接点８を形成する。　図示の実施例は一例として押圧片６と一体となって移動する略Ｌ字状の導電板９を利用したものであって、その一辺９ａを押圧片６の没入方向と平行に装着して刃受３に摺接し、また、他の一辺９ｂはその没入方向前方にコード端子４を位置させ、没入時に接触するように構成する。」（明細書第３頁第３行ないし第４頁第１０行）
　
コ　「次に符号Ｓで示すものは押圧片６の押込操作を担う押込凸部であって、プラグＰ端面とコンセント表面板１との接触により押圧片６を押込むように構成する。　第一、二図の実施例は一例として押圧片６の先端面に柱状の押込突起１３を突設し、このものをコンセント表面板１に穿設した穴１４からコンセント表面１’上に突出させるものである。」（明細書第５頁第６ないし１３行）
　
　上記記載から、引用文献３には、「コンセント表面板１にプラグＰを差し込んだときに、押し込まれた押圧片６によって導通状態とするスイッチ付安全コンセントに係る技術」（以下、「引用文献３記載技術」という。）が記載されていると認める。
　
４　引用文献４
　本願の出願前に頒布され、原審査定で引用された引用文献４（特開２０１２−６４５０５公報)には、「給電プラグのロック装置」に関し、図面（特に、図４ないし１０参照）とともに次の事項が記載されている。
　
サ「【００４２】
　次に、挿入検出装置４３について詳しく説明する。
　図４に示すように、ケース４４の下部には、挿入検出装置４３を構成する検出手段としてのマイクロスイッチ１１１が固定されている。また、ケース４４の下部のマイクロスイッチ１１１の外側には、直方体状の収容部４４ａが形成されている。収容部４４ａは、右に開口するとともに、左側も一部開口している。この収容部４４ａには、挿入検出装置４３を構成するスライドピース１２１が収容され、このスライドピース１２１はスライドすることによってその一部が収容部４４ａの左側から外部に突出し、マイクロスイッチ１１１を押下する。図６に示すように、スライドピース１２１は、収容部４４ａの左側の壁部との間にコイルばね１３１を介在させた状態で取り付けられる。
【００４３】
　図４に示すように、マイクロスイッチ１１１の本体を構成するケース１１２は、締結具１１０（例えば、ボルト等）によって、収容部４４ａの車両１側の内面に取り付けられる。ケース１１２の車両１側の内面には、３本の端子１１３が設けられている（図６参照）。各端子１１３は、充電ＥＣＵ７５と電気的に接続されている。ケース１１２には、プッシュスイッチ１１４がケース１１２の外側に突出する態様で設けられている。プッシュスイッチ１１４は、ケース１１２内に内蔵される図示しないばねによって常時外側に付勢されている。プッシュスイッチ１１４の下方への変位は、同じくケース１１２内に設けられる図示しない係合関係によってその外側への変位が規制されている。プッシュスイッチ１１４は、外側から内側に押圧されると、その一部がケース１１２内に収容される。マイクロスイッチ１１１は、プッシュスイッチ１１４が押下された旨示す電気信号を端子１１３を通じて充電ＥＣＵ７５に出力する。同じくケース１１２の外側には、Ｌ字状に形成された腕部１１５が設けられている。腕部１１５は、ステンレスなどの金属により形成され、弾性変形が可能となっている。腕部１１５は、ケース１１２の外側におけるプッシュスイッチ１１４と反対側に取り付けられる取付部１１５ｃと、この取付部１１５ｃからプッシュスイッチ１１４に向かって斜め外側延びてプッシュスイッチ１１４の外側に延びる延出部１１５ａとからなる。延出部１１５ａの先端部には、外側に湾曲する半円部１１５ｂが形成されている。
【００４４】
　スライドピース１２１の本体を構成する直方体状の本体部１２２は、マイクロスイッチ１１１の外側に位置するとともに、収容部４４ａの左側の壁面との間にコイルばね１３１を介在させた態様で（図６参照）、収容部４４ａに収容される。このため、本体部１２２は、コイルばね１３１の付勢力により常時右側へ付勢される。
【００４５】
　本体部１２２の右側の先端部１２３は、上下方向から見ると半円状に形成されており、収容部４４ａから右側に突出した態様で設けられる。また本体部１２２の外側及び内側の両面には、上下方向から見たとき、Ｌ字状に形成された係止片１２４が設けられている。係止片１２４は、本体部１２２に対して離間した状態で左側へ延びる延出部１２５を備えている。係止片１２４は、その右端において片持ち状に本体部１２２に連結されている。延出部１２５の中央部には、内外方向に貫通する係止孔１２６が形成されている。収容部４４ａの外周面の外側及び内側の両面には、係止爪４４ｂが形成されている。図５に示すように、本体部１２２が収容部４４ａに収容されたとき、係止爪４４ｂが係止孔１２６に挿入される。コイルばね１３１の付勢力によるスライドピース１２１の右側への変位は、係止爪４４ｂが係止孔１２６の左側の壁部（延出部１２５）に当接することにより規制される。なお、図４に示すように、本体部１２２の左部には、コイルばね１３１の内側に位置し左方に延びる押圧片１２７が形成されている。押圧片１２７は、収容部４４ａの左側の開口部から外部に露出している。図６に示すように、押圧片１２７の先端部には、先端に向かうにつれて徐々に先鋭となるように内側に傾斜する傾斜面１２７ａが形成されている。また、押圧片１２７の内側の面は、スライドピース１２１のスライド方向と平行な平行面１２７ｂとされている。この押圧片１２７の先端部（傾斜面１２７ａ）は、スライドピース１２１が左方へスライド変位したとき、腕部１１５（半円部１１５ｂ）と当接可能とされている。このとき、腕部１１５は、傾斜面１２７ａから押圧されて内側に変位させられて、腕部１１５よりも内側に位置するプッシュスイッチ１１４を押下する。なお、スライドピース１２１の先端は、給電プラグ１０がインレット３１に挿入される際の係止爪１５４の挿入経路上に位置する。
【００４６】
　次に、インレット３１に挿入する給電プラグ１０の構造について説明する。
　図７に示すように、給電プラグ１０のプラグ本体１５１内には、ロックアーム１５２が揺動可能に取り付けられている。ロックアーム１５２は、給電プラグ１０の挿込方向に対して直交する方向を軸１５３として、この軸１５３回りに揺動する。ロックアーム１５２の先端には、インレット３１に接続したとき、被係止部３５と係合する係止爪１５４が設けられている。また、ロックアーム１５２の先端と反対側には、操作部１５５が設けられている。係止爪１５４と操作部１５５とは、プラグ本体１５１の外部に露出されている。ロックアーム１５２において操作部１５５寄りの位置には、ロックアーム１５２（係止爪１５４）を閉じ側（図１０中の下側）に常時付勢する付勢部材１５６が取り付けられている。このように構成された給電プラグ１０では、図中２点鎖線で示すように、操作部１５５を付勢部材１５６の付勢力に抗して押し操作することで、ロックアーム１５２が揺動し、係止爪１５４が上方へ変位する。操作部１５５への押し操作を解除すると、付勢部材１５６の付勢力により図中実線で示す原位置へ復帰する。
【００４７】
　次に給電プラグ１０とインレット３１との接続態様について説明する。
　給電プラグ１０をインレット３１に接続する際には、給電プラグ１０をインレット３１へ真っ直ぐ挿し込む。このとき、図７の一点鎖線で示すように、インレット３１の接続部３２の外周面上部に形成された被係止部３５の斜面３５ａに対する摺接を通じて、ロックアーム１５２の先端部が上側へ押されて、同ロックアーム１５２は、付勢部材の付勢力に抗して開き側（係止爪１５４が上に移動する側）に揺動する。ロックアーム１５２の先端部、すなわち係止爪１５４は、給電プラグ１０の挿入に伴い斜面３５ａを登る。そして、図８に示すように、給電プラグ１０がインレット３１に完全に挿入されると、係止爪１５４は斜面３５ａを登り切り、付勢部材１５６の付勢力によってロックアーム１５２が閉じ側（係止爪１５４が下に移動する側）に揺動する。このため、係止爪１５４が被係止部３５に引っ掛かって、給電プラグ１０のインレット３１に対する抜け止めがなされる。給電プラグ１０とインレット３１との好適な接続状態が維持される。
【００４８】
　次に、給電プラグ１０のインレット３１への挿入の検出態様について説明する。
　図７に示すように、給電プラグ１０をインレット３１に挿入しようとするとき、図９に示すように、係止爪１５４の左側面とスライドピース１２１の先端部１２３とが当接する。係止爪１５４は、その基端側が幅広に形成されているため、給電プラグ１０をさらに挿入方向へ変位させると、図１０に示すように、スライドピース１２１をコイルばね１３１の付勢力に抗して左側へ押圧する。図８に示すように、係止爪１５４が被係止部３５に係合して給電プラグ１０とインレット３１との接続が完了した状態において、スライドピース１２１は最も左側へ変位した状態に維持される。なお、係止爪１５４は、給電プラグ１０の挿入時に、上側に位置するロックバー４５を自身の上面により上側に押し上げて被係止部３５に係合される。」（【００４２】ないし【００４８】）
　
　上記記載から、引用文献４には、「給電プラグのロック装置において、給電プラグ１０をインレット３１に挿入したときに、該挿入方向にロックアーム１５２の係止爪１５４が移動し、該係止爪１５４の幅広の基端部によって形成された傾斜面が、挿入方向と交差する方向にスライドピース１２１をスライドさせ、マイクロスイッチ１１１を押下させて上記挿入を検出する技術」（以下、「引用文献４記載技術」という。）が記載されていると認める。
　
第５　対比・判断
１　本願発明１について
　本願発明１と引用発明とを対比すると、引用発明における「プラグコネクタ２００」は、その技術的意義、機能又は構造からみて、本願発明１における「他のコネクタ」に相当し、以下同様に、「コネクタ」は「コネクタ」に、「接続端子２２１，２２２，２２３」は「他の接続端子」に、「接続端子」は「接続端子」に、「固定接点１１１」は「固定接点」に、「可動板部１２２」は「可動板部」に、「可動接点１２１」は「可動接点」にそれぞれ相当する。
　そして、引用発明において、「コネクタ」が「プラグコネクタ２００における接続端子２２１，２２２，２２３と接続される接続端子」を有するということは、「接続端子」が「プラグコネクタ２００」に接続されることになるから、本願発明１において「コネクタ」が「他のコネクタと接続される」ことに相当する。
　また、引用発明において「前記スライド操作部４０を一方の方向に移動させることにより、スライドリンク部４１とコンタクトスライド部４２とが他のコネクタの挿入方向と交差する方向にスライド移動し、コンタクトスライド部４２に設けられたコンタクトスライド接触部４２ｂにより、前記ボタン１６０が押下され、前記カードを介して前記可動板部１２２が動」くことは、コネクタが他のコネクタの挿入方向と交差する方向にスライドするスライドリンク部４１とコンタクトスライド部４２によって、ボタン１６０が押下され、押下されたボタン１６０により可動板部１２２が動作するということができる。
　さらに、「スライド部材」という限りにおいて、引用発明における「スライドリンク部４１」と「コンタクトスライド部４２」を合わせたものは、本願発明１における「スライド部」に相当する。
　また、「他のコネクタの挿入方向と交差する方向にスライドするスライド部材と、スライドする前記スライド部材によって押下されるボタンと、前記ボタンの押下により動作し、可動板部を動作させるカードと、を有し、前記スライド部材のスライドにより前記ボタンが押下され、前記押下されたボタンにより前記可動板部が動作して固定接点と可動接点とが接触する」という限りにおいて、
　引用発明において「前記スライド操作部４０を一方の方向に移動させることにより、スライドリンク部４１とコンタクトスライド部４２とがプラグコネクタ２００の挿入方向と交差する方向にスライド移動し、コンタクトスライド部４２に設けられたコンタクトスライド接触部４２ｂにより、前記ボタン１６０が押下され、前記カードを介して前記可動板部１２２が動」くことは、
　本願発明１において「他のコネクタの挿入方向と交差する方向にスライドするスライド部と、スライドする前記スライド部によって押下されるボタンと、前記ボタンの押下により動作し、可動板部を動作させるカードと、を有し、前記他のコネクタと前記コネクタとが接続される際、前記他のコネクタにより前記スライド部が押されてスライドして前記ボタンが押下され、前記押下されたボタンにより前記可動板部が動作して固定接点と可動接点とが接触する」ことに一致する。
　
　したがって、両者は、次の点で一致する。
「他のコネクタと接続されるコネクタにおいて、
　他のコネクタに設けられた他の接続端子と接続する接続端子と、
　固定接点と、
　可動板部に設けられた可動接点と、
　前記他のコネクタの挿入方向と交差する方向にスライドするスライド部材と、
　スライドする前記スライド部材によって押下されるボタンと、
　前記ボタンの押下により動作し、前記可動板部を動作させるカードと、
　を有し、
　前記スライド部材のスライドにより前記ボタンが押下され、前記押下されたボタンにより前記可動板部が動作して前記固定接点と前記可動接点とが接触するコネクタ。」
　
　そして、両者は、次の点で相違する。
　「スライド部材のスライドによりボタンが押下され」ることに関し、本願発明１においては、「他のコネクタとコネクタとが接続される際、前記他のコネクタによりスライド部が押されてスライドしてボタンが押下され」るのに対して、
　引用発明１においては、手動でスライド操作部４０を一方の方向に移動させることによりボタンが押下される点（以下、「相違点」という。）。
　
　上記相違点について検討する。
　引用文献１の段落【００３９】、【００４１】（上記第４の１のイ参照。）には、スライド操作部４０におけるスライド操作上部４０ａをスライドさせることにより電源の供給のオン、オフの制御を行う旨が記載されている。
　また、引用文献１の段落【００５６】、【００５９】及び【００６０】（上記第４の１のエ及びオ参照。）には、スライド操作部４０が「ＯＦＦ」の位置にあるときにはコネクタよりプラグコネクタ２００をはずすことが可能であるが、スライド操作部４０を「ＯＮ」の位置にスライドした状態ではコネクタとプラグコネクタ２００との接続が維持される、即ち、はずすことができない旨が記載されており、引用発明は、コネクタとプラグコネクタ２００とを接続した状態で、スライド操作部４０を操作することを前提としたものであり、コネクタとプラグコネクタ２００の接続とスライド操作部４０の操作を同時に行うようになっていない。
　したがって、コネクタを他のコネクタに接続する際、前記他のコネクタによりスライド部材が押されてスライドして導通状態とする引用文献２記載技術及び引用文献３記載技術を、引用発明に適用することには、阻害要因がある。
　また、該阻害要因が存しなかったともしても、引用文献２記載技術及び引用文献３記載技術は、いずれも他のコネクタの挿入方向とスライド部材のスライド移動の方向が一致しているから、スライドリンク部４１とコンタクトスライド部４２とが他のコネクタの挿入方向と交差する方向にスライド移動する引用発明に適用することが容易であるとはいえない。
　さらに、引用発明と引用文献４記載技術とは技術分野が異なるから、引用発明に引用文献４記載技術を適用することにより、上記相違点に係る本願発明１の発明特定事項を想到することが容易であったとすることもできない。
　
　したがって、本願発明１は、引用発明及び引用文献２ないし４記載技術に基づいて当業者が容易に発明をすることができたとはいえない。
　
２　本願発明２ないし８について
　本願発明２ないし８は、本願発明１の「他のコネクタとコネクタとが接続される際、前記他のコネクタによりスライド部が押されてスライドしてボタンが押下され」る構成を備えるものであるから、本願発明１と同じ理由により、当業者であっても、引用発明及び引用文献２ないし４記載技術に基づいて当業者が容易に発明をすることができたとはいえない。
　
第６　原査定について
　平成２９年４月２５日の手続補正によって補正された請求項１ないし８に係る発明（本願発明１ないし８）は、上記第５に記載したように、引用文献１ないし４に記載された発明に基づいて当業者が容易に発明をすることができたものとはいえない。したがって、原査定を維持することはできない。
　
第７　むすび
　以上のとおり、原査定の理由によっては、本願を拒絶することはできない。
　また、他に本願を拒絶すべき理由を発見しない。
　よって結論のとおり審決する。